(57)【要約】      （修正有）【課題】従来に比較して高いトレーニング効果及び高い娯楽性を兼備した多機能フィットネスステッパーを実現する。【解決手段】基座１０の上に横向き回転テーブル２０を装着し、二つのペダル３０Ｒ、３０Ｌを横向き回転テーブルの両側の支軸部に相対設置し、二つのペダルの底部のスライド部を基座に設けられた斜めガイドフレーム４０の上に抵触させ、横向き回転テーブルの頂端に追従動作を行う一つの取っ手フレーム５０を結合させた構成である。基座の後段組み付け部には一つのサブスペダル部６０が設けてある。サブスペダル部には、仰角を調整できる可動式板６３が備えてある。【選択図】図１
0003129833.tif 000002
【実用新案登録請求の範囲】
【請求項１】
一つの基座（１０）と、一つの横向き回転テーブル（２０）と、二つのペダル（３０Ｒ，３０Ｌ）と、一つの斜めガイドフレーム（４０）と、一つの取っ手フレーム（５０）と、一つのサブスペダル部（６０）とを有してなり、
前記基座（１０）は、一定の長さ、幅及び高さをもった筐体又はフレーム形態であり、その最上部は使用面（１１）、底部は一つの設置面（１２）とされており、使用面（１１）は、一つの前段組み付け部（１３）と一つの後段組み付け部（１４）に区切られている構成であり、
前記横向き回転テーブル（２０）は、前記基座（１０）の使用面（１１）の前段組み付け部（１３）に、横向き回転運動可能に装着されており、その相対する両側には横に伸びた支軸部（２１）が設置されている構成であり、
前記二つペダル（３０Ｒ、３０Ｌ）は、前記横向き回転テーブル（２０）の両側に対称設置してあり、その先端には、横向き回転テーブル（２０）の両側の支軸部（２１）に被せるための装着部（３１）が設けてあり、その後方部は、二つの支軸部（２１）を回転支点として上下にスイングすることが可能であり、且つ、その底部には、前後に長いスライド部（３２Ｒ、３２Ｌ）が設けてある構成であり、
前記斜めガイドフレーム（４０）は、基座（１０）の使用面（１１）の前段組み付け部（１３）と後段組み付け部（１４）との間に装着され、二つのペダル（３０Ｒ、３０Ｌ）の底部と対応する左右の斜めガイド部（４１Ｒ、４１Ｌ）とを有し、該左右の斜めガイド部（４１Ｒ、４１Ｌ）が夫々前記スライド部（３２Ｒ、３２Ｌ）に接している構成であり、
前記取っ手フレーム（５０）は、縦フレーム（５１）と、該縦フレーム（５１）の頂端に設置されているグリップ部（５２）とを有し、該縦フレーム（５１）の底部が前記横向き回転テーブル（２０）の頂端に結合固定してあり、該取っ手フレーム（５０）が前記横向き回転テーブル（２０）と一体に回転する構成であり、
前記サブスペダル部（６０）は、基座（１０）の後段組み付け部（１４）に装着してあり、両足または片足でその上に立つことのできる最低一つのステップ台（６１）が設けてある構成であることを特徴とする多機能フィットネスステッパー。
【請求項２】
請求項１に記載の多機能フィットネスステッパーにおいて、
前記スライド部（３２Ｒ、３２Ｌ）は、円形断面形状のロッド若しくはパイプ製であることを特徴とする多機能フィットネスステッパー。
【請求項３】
請求項１に記載の多機能フィットネスステッパーにおいて、
前記斜めガイドフレーム（４０）は、「く」字形のロッド若しくはパイプ製であることを特徴とする多機能フィットネスステッパー。
【請求項４】
請求項１に記載の多機能フィットネスステッパーにおいて、
前記ステップ台（６１）の上に、滑り止めシート（６２）が設けてある構成としたことを特徴とする多機能フィットネスステッパー。
【請求項５】
請求項１に記載の多機能フィットネスステッパーにおいて、
前記基座（１０）の後段組み付け部（１４）は、凹溝スペース（１４１）の形態であり、該凹溝スペース（１４１）の底面に複数の位置決め溝（１４２）が一定間隔で配列してあり、サブスペダル部（６０）は仰角を調整できる可動式板（６３）となり、該可動式板（６３）の後端は凹溝スペース（１４１）の後方に結合され、可動式板（６３）の前端は開くことが可能であり、可動式板（６３）の前端底部に一つの支えフレーム（７０）が設置してあり、該支えフレーム（７０）の先端側を凹溝スペース（１４１）内のいずれかの位置決め溝（１４２）を選択して嵌合させて固定することによって、可動式板（６３）の傾斜角度が可変されてその開口角度が固定される構成としたことを特徴とする多機能フィットネスステッパー。
【請求項６】
請求項５に記載の多機能フィットネスステッパーにおいて、
前記可動式板（６３）の前端底部と前記凹溝スペース（１４１）の底面の間に、弾性引っ張り部品（８０）を設置してなり、
該弾性引っ張り部品（８０）の弾性力によって前記可動式板（６３）の前端側は下降するように付勢される構成としたことを特徴とする多機能フィットネスステッパー。
【請求項７】
請求項１に記載の多機能フィットネスステッパーにおいて、
前記基座（１０）の後段組み付け部（１４）には体重計を嵌入させるための一つの凹溝スペース（１４１）が形成してあり、
最上面にステップ台（６１）を有し、且つ該ステップ台（６１）の所定位置に体重表示画面（６５）を有する体重計（６４）が、前記凹溝スペース（１４１）内に収まっている構成としたことを特徴とする多機能フィットネスステッパー。
【考案の詳細な説明】
【技術分野】
【０００１】
本考案は一種の新型の多機能フィットネスステッパーに関する。
【背景技術】
【０００２】
既存のフィットネスステッパーの構造は、よく知られているように、一般的には左右のペダルを有し、その左右のペダルはある軸支点を円心として上下のスイング運動を行い、それによってステップ運動を模倣している。その後開発された新型機種では、二つのペダルは従来の上下スイング動作に加え、横向きのスイング運動も可能となり、その変化に富んだペダル動作により、娯楽性、トレーニング効果ともに向上したものに仕上げられている。
【考案の開示】
【考案が解決しようとする課題】
【０００３】
しかし、既存のフィットネスステッパーの機能性はその水準を越えることができず、やや単調で退屈という欠点に加え、トレーニング効果もさほど満足できるものではないため、その構造形態に基づいて新製品を発売しても、消費者に斬新性を与えることができず、時間が経つにつれ、製品の競争力が大幅低下し、機能の向上も見込めないと思われる。
【０００４】
よって、上述の旧式フィットネスステッパー構造の問題点を改善し、より理想的で実用性を伴った新型構造を開発することは消費者が待望することであり、関連業者の目指すところでもある。
【０００５】
本考案者は長年関連製品の設計開発に携わってきた経験を活かし、上述の目標を達成すべく、工夫を凝らした設計を取り入れ、慎重に評価を重ねた後にやっとこのような実用性をもった多機能フィットネスステッパーを完成した。
【０００６】
そこで、本考案は上記課題を解決した多機能フィットネスステッパーを提供することを目的とする。
【課題を解決するための手段】
【０００７】
本考案は、一つの基座（１０）と、一つの横向き回転テーブル（２０）と、二つのペダル（３０Ｒ，３０Ｌ）と、一つの斜めガイドフレーム（４０）と、一つの取っ手フレーム（５０）と、一つのサブスペダル部（６０）とを有してなり、
前記基座（１０）は、一定の長さ、幅及び高さをもった筐体又はフレーム形態であり、その最上部は使用面（１１）、底部は一つの設置面（１２）とされており、使用面（１１）は、一つの前段組み付け部（１３）と一つの後段組み付け部（１４）に区切られている構成であり、
前記横向き回転テーブル（２０）は、前記基座（１０）の使用面（１１）の前段組み付け部（１３）に、横向き回転運動可能に装着されており、その相対する両側には横に伸びた支軸部（２１）が設置されている構成であり、
前記二つペダル（３０Ｒ、３０Ｌ）は、前記横向き回転テーブル（２０）の両側に対称設置してあり、その先端には、横向き回転テーブル（２０）の両側の支軸部（２１）に被せるための装着部（３１）が設けてあり、その後方部は、二つの支軸部（２１）を回転支点として上下にスイングすることが可能であり、且つ、その底部には、前後に長いスライド部（３２Ｒ、３２Ｌ）が設けてある構成であり、
前記斜めガイドフレーム（４０）は、基座（１０）の使用面（１１）の前段組み付け部（１３）と後段組み付け部（１４）との間に装着され、二つのペダル（３０Ｒ、３０Ｌ）の底部と対応する左右の斜めガイド部（４１Ｒ、４１Ｌ）とを有し、該左右の斜めガイド部（４１Ｒ、４１Ｌ）が夫々前記スライド部（３２Ｒ、３２Ｌ）に接している構成であり、
前記取っ手フレーム（５０）は、縦フレーム（５１）と、該縦フレーム（５１）の頂端に設置されているグリップ部（５２）とを有し、該縦フレーム（５１）の底部が前記横向き回転テーブル（２０）の頂端に結合固定してあり、該取っ手フレーム（５０）が前記横向き回転テーブル（２０）と一体に回転する構成であり、
前記サブスペダル部（６０）は、基座（１０）の後段組み付け部（１４）に装着してあり、両足または片足でその上に立つことのできる最低一つのステップ台（６１）が設けてある構成であることを特徴とする。
【考案の効果】
【０００８】
使用者が踏んで二つのペダル（３０Ｒ、３０Ｌ）を交互に上下させると、ペダル（３０Ｒ、３０Ｌ）が交互に上下動すると同時に横向き往復スイング運動を行い、さらに取っ手フレーム（５０）までも往復回動するという豊富な動作を実現し、理想的なトレーニング効果及び高い娯楽性を有する。
【考案を実施するための最良の形態】
【０００９】
以下、本考案の実施例になる多機能フィットネスステッパーについて説明する。
【実施例１】
【００１０】
図１、図２及び図３は、本考案の実施例１になる多機能フィットネスステッパーＡを示す。
【００１１】
多機能フィットネスステッパーＡは、一つの基座１０と、一つの横向き回転テーブル２０と、二つのペダル３０Ｒ，３０Ｌと、一つの斜めガイドフレーム４０と、一つの取っ手フレーム５０と、一つのサブスペダル部６０とを有する。
【００１２】
基座１０は、一定の長さ、幅及び高さをもった筐体又はフレーム形態であり、その最上部は使用面１１、底部は一つの設置面１２とされている。使用面１１は、一つの前段組み付け部１３と一つの後段組み付け部１４に区切られている。
【００１３】
横向き回転テーブル２０は、基座１０の使用面１１の前段組み付け部１３に装着されており、横向き回転運動を行うことが可能である。この横向き回転テーブル２０の相対する両側には横に伸びた支軸部２１が設置されている。
【００１４】
二つペダル３０Ｒ、３０Ｌは、横向き回転テーブル２０の両側に対称設置されている。二つのペダル３０Ｒ、３０Ｌの先端には、横向き回転テーブル２０の両側の支軸部２１に被せるための装着部３１が設けてある。二つのペダル３０Ｒ、３０Ｌの後方部は、二つの支軸部２１を回転支点として上下にスイングすることができる。また、二つのペダル３０Ｒ、３０Ｌの底部には、前後に長いスライド部３２Ｒ，３２Ｌが設けてある。スライド部３２は円形断面形状のロッド若しくはパイプを用いて構成してある。
【００１５】
一つの斜めガイドフレーム４０は、基座１０の使用面１１の前段組み付け部１３と後段組み付け部１４との間に装着され、その斜めガイドフレーム４０は二つのペダル３０Ｒ、３０Ｌの底部と対応する左右の斜めガイド部４１Ｒ、４１Ｌとを有し、二つのペダル３０Ｒ、３０Ｌの底部に設置されている前記スライド部３２Ｒ，３２Ｌが夫々左右の斜めガイド部４１Ｒ、４１Ｌに接している。この斜めガイドフレーム４０は実施上、「く」字形のロッド若しくはパイプを用いて構成することができる（一体式または連結式）。使用者が左右のペダル３０Ｒ、３０Ｌを踏み込んだときに、スライド部３２Ｒ，３２Ｌが夫々左右の斜めガイド部４１Ｒ、４１Ｌに沿って滑る。
【００１６】
取っ手フレーム５０は、一つの縦フレーム５１と、この縦フレーム５１の頂端に設置されているグリップ部５２とを有する。本実施例ではＴ型フレーム形態を採用している。縦フレーム５１の底部は横向き回転テーブル２０の頂端に結合固定されているため、取っ手フレーム５０全体は横向き回転テーブル２０と一体に回転動作を行う。
【００１７】
サブスペダル部６０は、基座１０の後段組み付け部１４に装着してある。サブスペダル部６０には両足または片足でその上に立つことのできる最低一つのステップ台６１が設けてある。ステップ台６１には一定間隔に分布する凹凸形態または粗し加工を施した滑り止めシート６２が設置してある。
【００１８】
図７は、基座１０の後段組み付け部１４の変化した形態を示す。基座１０の後段組み付け部１４は凹溝スペース１４１の形態を採っている。その凹溝スペース１４１の底面に複数の位置決め溝１４２が一定間隔で配列してあり、サブスペダル部６０は仰角を調整できる可動式板６３となる。可動式板６３の最上面にはステップ台が設けられており、ステップ台６１の後端には一つの突出ストッパー６１０が形成されている。そして、その可動式板６３の後端は凹溝スペース１４１の後方に結合され、可動式板６３の前端は開くことができる。さらに、その可動式板６３の前端底部に一つのＵ形ロッド形態の支えフレーム７０が設置してある。図９に示すように、その支えフレーム７０の先端側を凹溝スペース１４１内のいずれかの位置決め溝１４２を選択して嵌合させて固定することによって、可動式板６３の傾斜角度が調整されて、可動式板６３の開口角度が固定される。
【００１９】
なお、サブスペダル部６０を可動式板６３を使用する場合には、図６、図７に示すように、先ず、可動式板６３の上部に掛かっている二つのペダル３０Ｒ、３０Ｌを直立収納状態に調整し、そしてから、可動式板６３を開く操作を行う。
【００２０】
図８は、傾斜させた可動式板６３の使用状態を示す。可動式板６３の傾斜角度を利用して、使用者は踵を下に下げてストレッチ効果を得ることが出来る。また、ストレッチ運動の過程において、ステップ台６１の後方の突出ストッパー６１０は踵を支えて、使用者の足部が徐々に後方へ滑るのを防止する役割を果たす。即ち、多機能フィットネスステッパーＡはストレッチ機能を兼ね備えている。
【００２１】
また、可動式板６３の前端底部と凹溝スペース１４１の底面の間に、弾性引っ張り部品８０が設置してある。図９に示すように、弾性引っ張り部品８０の引っ張り作用によって、可動式板６３の前端側は下降するように付勢され、支えフレーム７０が位置決め溝１４２にしっかり嵌合され、可動式板６３はそのときの開口角度にしっかりと固定され、位置ズレしにくくなる。弾性引っ張り部品８０は伸縮スプリングである。
【００２２】
次に、上記構成になる多機能フィットネスステッパーＡの使用状態について説明する。
【００２３】
使用者が左右のペダル３０Ｒ、３０Ｌ上で足踏み運動を行っている場合において、図２及び図３は右側のペダル３０Ｒを踏み込んだときの状態を示し、図４及び図５は左側のペダル３０Ｌを踏み込んだときの状態を示す。
【００２４】
下向きの圧力を受けた方のペダル３０Ｒ（又は３０Ｌ）は、斜めガイドフレーム４０及びそれと対応する側の斜めガイド部４１Ｒ（又は４１Ｌ）に沿って片側（左側または右側）に移動するため、横向き回転テーブル２０はその動きを受けて回転し始め、取っ手フレーム５０もそれにつられて回転を始める。このとき、もう片方のペダル３０Ｌ（又は３０Ｒ）は斜めガイドフレーム４０のもう片方の斜めガイド部４１Ｌ（又は４１Ｒ）に沿って上昇すると同時に片側に移動する。以上の動作を繰り返すことで、多機能フィットネスステッパーＡの左右のペダル３０Ｒ、３０Ｌが交互に上下すると同時に横向き往復スイング運動を行い、更に、取っ手フレーム５０までも往復回転させるという豊富な動作を実現し、使用者の足腰、手部を充分に動かし、既存構造よりも高い理想的なトレーニング効果及び高い娯楽性を兼備したものとなっている。
【実施例２】
【００２５】
図１０及び図１１は本考案の実施例２になる多機能フィットネスステッパーＢを示す。多機能フィットネスステッパーＢは、上記の実施例１になる多機能フィットネスステッパーＡとは、サブスペダル部の構造が相違する。
【００２６】
サブスペダル部６０には一つの体重計６４が設置してある。体重計６４の最上面にはステップ台６１が形成してある。ステップ台６１の所定位置には体重表示画面６５（指針式若しくはデジタル式の表示形態を採用することができる）が設置され、基座１０の後段組み付け部１４には上記の体重計６４を嵌入させるための一つの凹溝スペース１４１が形成してある。体重計６４は上記の凹溝スペース１４１内に収まっている。
【００２７】
この多機能フィットネスステッパーＢは、二つのペダル３０Ｒ、３０Ｌを上げて直立収納した状態において、使用者は体重計６４を利用して体重を測定し、トレーニングの過程において体重の自己管理を行うことができるという実用性を備えている。
【００２８】
上記構成の多機能フィットネスステッパーＡ、Ｂは以下に記載する効果を有する。
１．本考案の主要構造は基座１０の上に一つの横向き回転テーブル２０を装着し、二つのペダル３０Ｒ、３０Ｌを横向き回転テーブル２０の両側の支軸部２１に相対設置し、二つのペダル３０Ｒ、３０Ｌの底部のスライド部３２を基座１０に設けられた斜めガイドフレーム４０の上に抵触させ、横向き回転テーブル２０の頂端に追従動作を行う一つの取っ手フレーム５０を結合させたものである。このような斬新的な構造設計により、本考案の多機能フィットネスステッパーの左右のペダルは交互に上下すると同時に横向き往復スイング運動を行い、さらに取っ手フレーム５０までも回転させるという豊富な動作を実現し、使用者の足腰、手部を充分に動かし、高いトレーニング効果及び娯楽性を兼備した実用的で、進歩性を有したものとなっている。
２．このほか、本考案におけるサブスペダル部６０を開口角度を調整できる可動式板６３構造形態とすることで、二つのペダル３０Ｒ、３０Ｌを上げて直立収納した状態において、可動式板６３の傾斜角度を利用して使用者の踵を下に下げ、ストレッチの効果を得ることができる。
３．さらに、本考案はサブスペダル部に体重計を設置するという技術特徴を利用して、二つのペダルを上げて直立収納した状態において、その体重計を使って体重を測定し、トレーニングの過程において体重の自己管理を行える（即ち提示効果）という実用性及び進歩性を兼ね備えた構造を実現させている。
【００２９】
なお、上述の実施例は本考案を具体的に説明したものであり、文中では特定の専門用語を用いて説明しているが、本実用新案登録請求の範囲を限定するものではなく、この技術分野を熟知した人は本考案の精神及び原則を逸脱しない限り、本考案に変更または改良を加えることができる。しかし、それらの変更または改良は全て実用新案登録請求の範囲の範疇に含まれるものとする。
【図面の簡単な説明】
【００３０】
【図１】本考案の実施例１になる多機能フィットネスステッパーの斜視図である。
【図２】図１の多機能フィットネスステッパーの第一作動状態を示す平面図である。
【図３】図１の多機能フィットネスステッパーの第一作動状態を示す側面図である。
【図４】図１の多機能フィットネスステッパーの第二作動状態を示す平面図である。
【図５】図１の多機能フィットネスステッパーの第二作動状態を示す側面図である。
【図６】ペダルを直立収納した状態を示す斜視図である。
【図７】ペダルを直立収納し、可動式板を開いた状態を示す斜視図である。
【図８】可動式板をストレッチ運動に用いた場合の使用状態を示す図である。
【図９】可動式板の角度調整を示す図である。
【図１０】本考案の実施例２になる多機能フィットネスステッパーの斜視図である。
【図１１】図１０中、サブスペダル部を分解して示す図である。
【符号の説明】
【００３１】
Ａ、Ｂ    多機能フィットネスステッパー
１０      基座
１１      使用面
１２      設置面
１３      前段組み付け部
１４      後段組み付け部
２０      横向き回転テーブル
２１      支軸部
３０Ｌ，３０Ｒ  ペダル
３１      装着部
３２Ｌ，３２Ｒ  スライド部
４０      斜めガイドフレーム
４１Ｌ，４１Ｒ  斜めガイド部
５０      取っ手フレーム
５１      縦フレーム
５２      グリップ部
６０      サブスペダル部
６１      ステップ台
６２      滑り止めシート
６３      可動式板
７０      支えフレーム
８０      弾性引っ張り部品
１４１    凹溝スペース
１４２    位置決め溝
６１０    突出ストッパー
【図１】
0003129833.tif 000003
【図２】
0003129833.tif 000004
【図３】
0003129833.tif 000005
【図４】
0003129833.tif 000006
【図５】
0003129833.tif 000007
【図６】
0003129833.tif 000008
【図７】
0003129833.tif 000009
【図８】
0003129833.tif 000010
【図９】
0003129833.tif 000011
【図１０】
0003129833.tif 000012
【図１１】
0003129833.tif 000013